【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
検出領域と、第１、第２、および第３の導体素子を有する基板を含むタッチセンサであって；
第１および第２の導体素子は、第１および第２の導体素子の各々の少なくとも一部が検出領域内にあるように基板上に配され、検出領域内の第１の導体素子上の任意の２つの点に対して、検出領域内の第２の導体素子上の各々に最も近い点が、異なる距離で離れているように配置され；
第３の導体素子は、第３の導体素子の少なくとも一部が検出領域内にあるように基板上に配され、第３の導体素子が第２の導体素子と交差するように配置され、かつそれから導電的に隔離され；
第１と第３の導体素子は、検出領域内の第１の導体素子上の任意の２つの点に対して、検出領域内の第３の導体素子上の各々に最も近い点が異なる距離で離れているように配置される、
タッチセンサ。
【請求項２】
基板は第１の端部を有し、および第１、第２、および第３の導体素子は、第１の端部上で電気的にアクセス可能である、請求項１に記載のタッチセンサ。
【請求項３】
第１、第２、および第３の導体素子はすべて、基板の検出領域の重心から測定される、検出領域の１２０度内で電気的にアクセス可能である、請求項１に記載のタッチセンサ。
【請求項４】
第１、第２、および第３の導体素子はすべて、基板の検出領域の重心から測定される、検出領域の４５度内で電気的にアクセス可能である、請求項１に記載のタッチセンサ。
【請求項５】
第１の導体素子は駆動線であり、第２および第３の導体素子はセンス線である、請求項１に記載のタッチセンサ。
【請求項６】
第１の導体素子はセンス線であり、第２および第３の導体素子は駆動線である、請求項１に記載のタッチセンサ。
【請求項７】
検出領域と、第１、第２、および第３の導体素子を有する基板を含むタッチセンサであって；
第１および第２の導体素子は、第１および第２の導体素子の各々の少なくとも一部が検出領域内にあるように基板上に配され、検出領域内の第１の導体素子上の任意の２つの点に対して、検出領域内の第２の導体素子上の各々に最も近い点が、異なる距離で離れているように配置され；
第３の導体素子は、第３の導体素子の少なくとも一部が検出領域内にあるように基板上に配され、第３の導体素子が第２の導体素子と交差するように配置され、かつそれから導電的に隔離され；
第１と第３の導体素子は、検出領域内の第１の導体素子上の任意の２つの点に対して、検出領域内の第３の導体素子上の各々に最も近い点が異なる距離で離れているように配置され；
前記タッチセンサは、
少なくとも部分的に検出領域内にある基板上で配された第４の導体素子をさらに含み、第４の導体素子は、第１、第２、および第３の導体素子の各々から導電的に隔離されており、ならびに、
第４の導体素子は、
検出領域内の第４の導体素子上の任意の２つの点に対して、検出領域内の第２の導体素子上の各々に最も近い点が、異なる距離で離れているように、および
検出領域内の第４の導体素子上の任意の２つの点に対して、検出領域内の第３の導体素子上の各々に最も近い点が、異なる距離で離れているように、
配置される、
タッチセンサ。
【請求項８】
検出領域と、第１、第２、および第３の導体素子を有する基板を含むタッチセンサであって；
第１および第２の導体素子は、第１および第２の導体素子の各々の少なくとも一部が検出領域内にあるように基板上に配され、検出領域内の第１の導体素子上の任意の２つの点に対して、検出領域内の第２の導体素子上の各々に最も近い点が、異なる距離で離れているように配置され；
第３の導体素子は、第３の導体素子の少なくとも一部が検出領域内にあるように基板上に配され、第３の導体素子が第２の導体素子と交差するように配置され、かつそれから導電的に隔離され；
第１と第３の導体素子は、検出領域内の第１の導体素子上の任意の２つの点に対して、検出領域内の第３の導体素子上の各々に最も近い点が異なる距離で離れているように配置され；
前記タッチセンサは、
第２および第３の導体素子に動作可能に接続された駆動回路；
第１および第４の導体素子に動作可能に接続されたセンス回路；
信号プロセッサであって、
第１および第２の導体素子間の第１のタッチデルタを判定し；
第１および第３の導体素子間の第２のタッチデルタを判定し；
第２および第４の導体素子間の第３のタッチデルタを判定し；
第３および第４の導体素子間の第４のタッチデルタを判定し；ならびに
第１、第２、第３、および第４のタッチデルタに基づいてタッチセンサ上のタッチの位置を判定するように構成された、信号プロセッサ、
をさらに含む、
タッチセンサ。
【請求項９】
駆動コンダクタおよびセンスコンダクタを含む検出領域を有する基板を含むタッチセンサであって；
駆動コンダクタの長さに沿って延在する駆動コンダクタ軸があり、および、センスコンダクタの長さに沿って延在するセンスコンダクタ軸があり、ここで、駆動コンダクタとセンスコンダクタは、駆動コンダクタ軸がセンスコンダクタ軸と非平行になるように基板上に配され；駆動コンダクタとセンスコンダクタは、検出領域内の駆動コンダクタ軸上の任意の２つの点に対して、検出領域内のセンスコンダクタ軸上の各々に最も近い点が、異なる距離で離れているように各々基板上に配され、
ここで、センサ上の任意のタッチに起因するタッチデルタは、そのタッチの位置により変化し；
ここで、基板は第１の側面を有し、および駆動コンダクタとセンスコンダクタはそれぞれ第１の側面に配され、
第２の駆動コンダクタは、第２の駆動コンダクタの少なくとも一部が検出領域内にあるように基板上に配され、および第２の駆動コンダクタが駆動コンダクタと交差するように配置され、かつそれから導電的に隔離されている、
タッチセンサ。
【請求項１０】
駆動コンダクタおよびセンスコンダクタを含む検出領域を有する基板を含むタッチセンサであって；
駆動コンダクタの長さに沿って延在する駆動コンダクタ軸があり、および、センスコンダクタの長さに沿って延在するセンスコンダクタ軸があり、ここで、駆動コンダクタとセンスコンダクタは、駆動コンダクタ軸がセンスコンダクタ軸と非平行になるように基板上に配され；
駆動コンダクタとセンスコンダクタは、検出領域内の駆動コンダクタ軸上の任意の２つの点に対して、検出領域内のセンスコンダクタ軸上の各々に最も近い点が、異なる距離で離れているように各々基板上に配され；
ここで、センサ上の任意のタッチに起因するタッチデルタは、そのタッチの位置により変化し；
ここで、基板は第１の側面を有し、および駆動コンダクタとセンスコンダクタはそれぞれ第１の側面に配され；ならびに、
第２のセンスコンダクタは、第２のセンスコンダクタの少なくとも一部が検出領域内にあるように基板上に配され、および第２のセンスコンダクタがセンスコンダクタと交差するように配置され、かつそれから導電的に隔離されている、
タッチセンサ。
【請求項１１】
駆動コンダクタおよびセンスコンダクタを含む検出領域を有する基板を含むタッチセンサであって；
駆動コンダクタの長さに沿って延在する駆動コンダクタ軸があり、および、センスコンダクタの長さに沿って延在するセンスコンダクタ軸があり、ここで、駆動コンダクタとセンスコンダクタは、駆動コンダクタ軸がセンスコンダクタ軸と非平行になるように基板上に配され；
駆動コンダクタとセンスコンダクタは、検出領域内の駆動コンダクタ軸上の任意の２つの点に対して、検出領域内のセンスコンダクタ軸上の各々に最も近い点が、異なる距離で離れているように各々基板上に配され；ならびに、
ここで、センサ上の任意のタッチに起因するタッチデルタは、そのタッチの位置により変化し；
ここで、駆動コンダクタとセンスコンダクタの少なくとも１つは、検出領域を通じて二次曲線である、
タッチセンサ。
【請求項１２】
複数の駆動コンダクタおよび複数のセンスコンダクタを含む検出領域を有する基板を含むタッチセンサであって；
複数の駆動コンダクタは複数の信号を送信するように適合され、複数の信号は互いに対して周波数直交し；
複数の駆動コンダクタの少なくとも１つは、複数の駆動コンダクタの少なくとも１つの長さに沿って延在する駆動コンダクタ軸を有し、および、複数のセンスコンダクタの少なくとも１つは、複数のセンスコンダクタの少なくとも１つの長さに沿って延在するセンスコンダクタ軸を有し、ここで、複数の駆動コンダクタの少なくとも１つと複数のセンスコンダクタの少なくとも１つは、駆動コンダクタ軸がセンスコンダクタ軸と非平行になるように基板上に配され；
複数の駆動コンダクタの少なくとも１つと複数のセンスコンダクタの少なくとも１つは、検出領域内の駆動コンダクタ軸上の任意の２つの点に対して、検出領域内のセンスコンダクタ軸上の各々に最も近い点が、異なる距離で離れているように各々基板上に配され；
ここで、センサ上の任意のタッチに起因するタッチデルタは、そのタッチの位置により変化する、
タッチセンサ。
【請求項１３】
複数の駆動コンダクタおよび複数のセンスコンダクタを含む検出領域を有する基板を含むタッチセンサであって；
ここで、複数の駆動コンダクタは複数の信号を送信するように適合され、複数の信号は互いに対して周波数直交し；
ここで、複数の駆動コンダクタと複数のセンスコンダクタは、検出領域内に均一な幅を有し；
複数の駆動コンダクタの少なくとも１つと複数のセンスコンダクタの少なくとも１つは、検出領域内の複数の駆動コンダクタの少なくとも１つ上の任意の２つの点に対して、複数のセンスコンダクタの少なくとも１つ上の各々に最も近い点が、異なる距離で離れているように各々基板上に配され；
ここで、センサ上の任意のタッチに起因するタッチデルタは、そのタッチの位置により変化する、
タッチセンサ。